(57)【要約】【課題】改善された、寝具及び通信システムを提供する。【解決手段】寝具は、少なくとも本体にかかる重量を検出する検出部と、記憶部と、制御部とを備える。記憶部は、ユーザの頭部重量に対応付けて当該ユーザの識別情報を記憶する。制御部は、検出部の検出結果に基づいてユーザの頭部重量を測定し、記憶部から、測定した頭部重量に対応付けられたユーザの識別情報を取得する。【選択図】図２
2019051069.tif 000002
【特許請求の範囲】
【請求項１】
少なくとも本体にかかる重量を検出する検出部と、
複数のユーザの頭部重量と、前記複数のユーザの頭部重量のそれぞれに対応付けられたユーザの識別情報とを記憶する記憶部と、
前記検出部の検出結果に基づいてユーザの頭部重量を測定し、前記記憶部から、測定した前記頭部重量に対応付けられた前記ユーザの識別情報を取得する制御部と、
を備える寝具。
【請求項２】
少なくとも本体にかかる圧力を検出する検出部と、
複数のユーザの頭部形状と、前記複数のユーザの頭部形状のそれぞれに対応付けられたユーザの識別情報とを記憶する記憶部と、
前記検出部の検出結果に基づいてユーザの頭部形状を測定し、前記記憶部から、測定した前記頭部形状に対応付けられた前記ユーザの識別情報を取得する制御部と、
を備える寝具。
【請求項３】
前記制御部は、前記検出部の検出結果に基づいて、前記ユーザの生体情報を取得する、請求項１又は２に記載の寝具。
【請求項４】
前記制御部は、取得した前記ユーザの生体情報に基づいてストレス値を取得する、請求項３に記載の寝具。
【請求項５】
前記制御部は、前記検出部の検出結果に基づいて、前記ユーザの睡眠に関する情報を取得する、請求項１から４の何れか一項に記載の寝具。
【請求項６】
外部の機器と通信する通信部をさらに備え、
前記制御部は、取得した前記ユーザの識別情報とともに、取得した当該ユーザの生体情報、ストレス値及び睡眠に関する情報の少なくとも１つを、前記通信部によって所定のサーバに送信する、請求項３から５の何れか一項に記載の寝具。
【請求項７】
請求項１又は２に記載の寝具と、
前記寝具とネットワークを介して接続され、前記ユーザの識別情報とともに前記寝具が取得した当該ユーザの生体情報、ストレス値及び睡眠に関する情報の少なくとも１つを受信し、受信した前記識別情報に対応付けて受信した当情報を格納するサーバと、
を備える通信システム。
【発明の詳細な説明】
【技術分野】
【０００１】
本開示は、寝具及び通信システムに関する。
【背景技術】
【０００２】
従来、ユーザの生体情報を取得する枕が知られている。例えば、特許文献１には、ユーザの睡眠時に、ユーザの生体情報を取得する枕が開示されている。
【先行技術文献】
【特許文献】
【０００３】
【特許文献１】特開２０１５−１２９１０号公報
【発明の概要】
【発明が解決しようとする課題】
【０００４】
しかしながら、従来の枕には、改善の余地がある。例えば、枕は、病院等の公共の施設において、複数のユーザによって使用される場合がある。
【０００５】
本開示の目的は、改善された寝具及び通信システムを提供することにある。
【課題を解決するための手段】
【０００６】
寝具の一態様は、少なくとも本体にかかる重量を検出する検出部と、記憶部と、制御部とを備える。前記記憶部は、複数のユーザの頭部重量と、前記複数のユーザの頭部重量のそれぞれに対応付けられたユーザの識別情報とを記憶する。前記制御部は、前記検出部の検出結果に基づいてユーザの頭部重量を測定し、前記記憶部から、測定した前記頭部重量に対応付けられた前記ユーザの識別情報を取得する。
【０００７】
寝具の一態様は、少なくとも本体にかかる圧力を検出する検出部と、記憶部と、制御部とを備える。前記記憶部は、複数のユーザの頭部形状と、前記複数のユーザの頭部形状のそれぞれに対応付けられたユーザの識別情報とを記憶する。前記制御部は、前記検出部の検出結果に基づいてユーザの頭部形状を測定し、前記記憶部から、測定した前記頭部形状に対応付けられた前記ユーザの識別情報を取得する。
【０００８】
通信システムの一態様は、上記寝具の何れかと、サーバとを備える。前記サーバは、前記寝具とネットワークを介して接続される。前記サーバは、前記ユーザの識別情報とともに前記寝具が取得した当該ユーザの生体情報、ストレス値及び睡眠に関する情報の少なくとも１つを受信する。前記サーバは、受信した前記識別情報に対応付けて受信した当該情報を格納する。
【発明の効果】
【０００９】
本開示によれば、改善された寝具及び通信システムを提供することができる。
【図面の簡単な説明】
【００１０】
【図１】第１実施形態に係る枕の概略的な外観図である。
【図２】図１に示すＩ−Ｉ線に沿った枕の断面図である。
【図３】第１実施形態に係る枕の機能ブロック図である。
【図４】第１実施形態に係る枕の処理の一例を示すフローチャートである。
【図５】第１実施形態に係る枕の処理の一例を示すフローチャートである。
【図６】第２実施形態に係る通信システムの概略図である。
【図７】第２実施形態に係る通信システムの制御手順の一例を示すシーケンス図である。
【発明を実施するための形態】
【００１１】
以下、本開示に係る寝具の実施形態について、図面を参照して説明する。本明細書では、寝具は、枕であるとして説明する。しかしながら、本開示の寝具は、枕に限定されない。本開示の寝具は、ユーザの睡眠時にユーザの頭部を支持するものであればよく、例えば、クッション、ネックピロー又は座布団等であってよい。
【００１２】
（第１実施形態）
図１は、第１実施形態に係る枕１の概略的な外観図である。図２は、図１に示すＩ−Ｉ線に沿った枕１の断面図である。なお、本明細書に記載の枕１について、上側は、図２の断面図の上側を意味し、下側は、その反対側を意味する。また、本明細書に記載の枕１について、頭頂側は、図２の断面図の左側を意味し、首側は、図２の断面図の右側を意味する。
【００１３】
ユーザは、枕１に頭部を載せて寝ることができる。枕１は、例えばユーザの睡眠時、ユーザの頭部を支持する。図１に示す載置面Ａは、枕１の上側の面であり、ユーザの頭部が載せられる面である。枕１は、例えば公共の施設において、当該施設内の複数のユーザによって使用され得る。公共の施設は、例えば、老人ホーム、病院又は合宿所等である。枕１は、枕１に頭部を載せているユーザの生体情報等を取得することができる。さらに、枕１は、詳細は後述するが、枕１に頭部を載せているユーザの識別情報を取得することができる。ユーザの識別情報は、ユーザの氏名及びユーザのＩＤ等を含んでよい。枕１が当該ユーザの識別情報を取得することで、枕１に頭部を載せているユーザが推定され得る。
【００１４】
枕１は、例えば、図１に示すように、２つの楕円形の底面を有する円柱形状であってよい。ただし、枕１の形状は、円柱形状に限定されない。例えば、枕１の形状は、直方体形状、Ｕ字形状又はドーナッツ形状等であってもよい。
【００１５】
枕１は、全体が外装部１５で覆われる。枕１は、内部に、検出部１０と、制御ユニット２０と、エアバッグ３０とを備える。枕１が備えるエアバッグの数は、エアバッグ３０の１つに限定されない。枕１が備えるエアバッグの数は、２つ以上であってもよい。
【００１６】
検出部１０は、図２に示すように、載置面Ａに沿って、外装部１５内に配置される。検出部１０は、載置面Ａの全面に沿って配置されてもよい。
【００１７】
検出部１０は、載置面Ａ（本体）にかかる重量を検出する。検出部１０は、例えば、重量センサを含んで構成される。検出部１０は、重量センサによって載置面Ａにかかる重量を検出する。検出部１０は、検出した重量を、後述の制御部１４に出力する。
【００１８】
検出部１０は、載置面Ａ（本体）にかかる圧力を検出してもよい。この場合、検出部１０は、複数の圧力センサを含んで構成される。各圧力センサは、例えば、載置面Ａにおいて均等に配置される。検出部１０は、複数の圧力センサによって載置面Ａにおける圧力分布を検出する。検出部１０は、検出した圧力分布を、後述の制御部１４に出力する。
【００１９】
検出部１０は、モーションセンサを含んで構成されてよい。モーションセンサは、例えば、加速度センサ及びジャイロセンサ等を組み合わせて構成される。この場合、検出部１０は、モーションセンサによって枕１の動きを検出する。検出部１０は、検出した枕１の動きを、後述の制御部１４に出力する。
【００２０】
検出部１０は、近接センサを含んで構成されてよい。この場合、検出部１０は、枕１に近接する物体の存在を非接触で検出する。検出部１０は、検出した枕１に近接する物体の存在を、後述の制御部１４に出力する。
【００２１】
検出部１０は、温度センサを含んで構成されてもよい。温度センサは、例えば、枕１において、ユーザが頭部を載置面Ａに載せたときに当該頭部が位置する箇所近辺に配置される。温度センサは、周囲の温度を検出する。検出部１０は、温度センサによって検出した温度を、後述の制御部１４に出力する。
【００２２】
検出部１０は、発汗センサを含んで構成されてもよい。発汗センサは、例えば、枕１において、ユーザが頭部を載置面Ａに載せたときに皮膚（例えば、顔又は首の皮膚）が位置する箇所近辺に配置される。ユーザの汗が皮膚から蒸発すると、ユーザの皮膚近辺の空気の湿度が変化する。発汗センサは、周囲の空気の湿度を検出し、検出した湿度の変化に基づいて、ユーザの発汗量を検出する。検出部１０は、発汗センサによって検出した発汗量を、後述の制御部１４に出力する。
【００２３】
検出部１０は、脈拍センサを含んで構成されてもよい。脈拍センサは、例えば、枕１において、ユーザが頭部を載置面Ａに載せたときにユーザの皮膚（例えば、顔又は首の皮膚）が位置する箇所近辺に配置される。脈拍センサは、例えば、ユーザの皮膚に向けてレーザ光を照射し、皮膚におけるレーザ光の反射光に基づいて、ユーザの脈拍を検出する。検出部１０は、脈拍センサによって検出した脈拍を、後述の制御部１４に出力する。
【００２４】
外装部１５は、枕１の全体を覆う。外装部１５の内部には、クッション性を有する素材が充填されていてよい。例えば、外装部１５の内部には、パイプ、羽、綿又は発泡ビーズ等が充填されていてよい。
【００２５】
制御ユニット２０は、例えば、枕１の下面に配置される。ただし、制御ユニット２０は、枕１の任意の箇所に配置されてもよい。例えば、制御ユニット２０は、枕１の外部に配置されてもよい。制御ユニット２０は、後述の制御部１４等を含む。
【００２６】
制御ユニット２０は、検出部１０の出力結果に基づいて、枕１に頭部を載せているユーザの生体情報等を取得する。さらに、制御ユニット２０は、検出部１０を用いて、頭部を枕１に載せているユーザの頭部重量（又は頭部形状）を測定し、測定した頭部重量（又は頭部形状）に基づいて、枕１に頭部を載せているユーザの識別情報を取得する。これらの処理の詳細及び制御ユニット２０の構成の詳細は、後述する。
【００２７】
枕１の内部は、エアバッグ３０によって充填される。エアバッグ３０は、例えば、可撓性及び気密性を有する材料で構成される。エアバッグ３０は、例えば、合成樹脂材料で構成されてよい。エアバッグ３０は、その内部に空気が注入されることによって、膨張して所定の形状になる。
【００２８】
なお、枕１の内部は、エアバッグ３０の代わりに、他の部材によって充填されてもよい。例えば、枕１の内部は、コイル部材、パイプ、綿又は発泡ビーズ等によって充填されてもよい。
【００２９】
次に、枕１の機能の詳細について説明する。図３は、第１実施形態に係る枕１の機能ブロック図である。
【００３０】
枕１は、検出部１０を備える。枕１は、さらに、制御ユニット２０として、通信部１２と、記憶部１３と、制御部１４とを備える。
【００３１】
通信部１２は、ネットワークを介して、外部の機器に接続される。通信部１２は、例えばBluetooth（登録商標）、赤外線、ＮＦＣ（Near Field Communication）、無線ＬＡＮ（Local Area Network）、有線ＬＡＮ、ＷＡＮ（Wide Area Network）、インターネット若しくはその他任意の通信媒体又はこれらの任意の組合せにより、通信することができる。
【００３２】
記憶部１３は、半導体メモリ又は磁気メモリ等で構成されてよい。記憶部１３は、各種情報及び制御部１４を動作させるためのプログラム等を記憶する。記憶部１３は、ワークメモリとしても機能してもよい。
【００３３】
記憶部１３は、複数のユーザの頭部重量と、当該複数のユーザの頭部重量のそれぞれに対応付けられたユーザの識別情報とを記憶する。当該複数のユーザは、例えば、枕１を使用し得るユーザである。例えば枕１が病院で使用される場合、当該複数のユーザは、その病院に入院している複数の患者であってよい。この場合、ユーザの頭部重量及びユーザの識別情報は、当該ユーザの入院初日又はその日前までに、例えば病院の管理者の操作に基づいて、記憶部１３に格納されてよい。記憶部１３に格納されるユーザの頭部重量には、ユーザが枕１に頭部を載せたときに検出部１０等によって実際に測定された頭部重量が用いられてもよい。
【００３４】
なお、記憶部１３は、複数のユーザの頭部形状と、当該複数のユーザの頭部形状のそれぞれに対応付けられたユーザの識別情報とを記憶してもよい。この場合、記憶部１３に格納されるユーザの頭部形状には、ユーザが枕１に頭部を載せたときに検出部１０等によって実際に測定されたユーザの頭部形状が用いられてもよい。
【００３５】
制御部１４は、種々の機能を実行するための制御及び処理能力を提供するために、少なくとも１つのプロセッサ１４Ａを含む。少なくとも１つのプロセッサ１４Ａは、単一の集積回路（ＩＣ）として、又は、複数の通信可能に接続された集積回路ＩＣ及びディスクリート回路（discrete circuits）として実現されてもよい。少なくとも１つのプロセッサ１４Ａは、種々の既知の技術に従って実現されることが可能である。
【００３６】
ある実施形態において、プロセッサ１４Ａは、一以上のデータ計算手続及び処理を実行するために構成された、一以上の回路又はユニットを含む。例えば、プロセッサ１４Ａは、一以上のプロセッサ、コントローラ、マイクロプロセッサ、マイクロコントローラ、特定用途向け集積回路（ＡＳＩＣ）、デジタル信号処理装置、プログラマブルロジックデバイス、フィールドプログラマブルゲートアレイ又はこれらの組み合わせ若しくは構成の任意の組み合わせ、又は、他の既知のデバイス若しくは構成の組み合わせを含むことにより、以下に説明する機能を実行してもよい。
【００３７】
制御部１４は、検出部１０と、通信部１２と、記憶部１３とに接続され、これらの各機能部をはじめとして、枕１の全体を制御及び管理する。制御部１４は、記憶部１３に記憶されているプログラムを取得する。制御部１４は、取得したプログラムを実行することにより、枕１の各部に係る種々の機能を実現する。
【００３８】
制御部１４は、検出部１０の出力結果（検出結果）に基づいて、ユーザが頭部を枕１に載せたか否か判定する。具体的には、検出部１０の重量センサが所定量を超える重量を検出したとき、ユーザの頭部が枕１に載せられたと判定する。例えば検出部１１が圧力センサを含んで構成される場合、制御部１４は、圧力センサが載置面Ａにかかる圧力を検出したとき、ユーザの頭部が枕１に載せられたと判定してもよい。例えば検出部１０がモーションセンサを含んで構成される場合、制御部１４は、モーションセンサが枕１の動きを検出したとき、ユーザの頭部が枕１に載せられたと判定してもよい。例えば検出部１０が近接センサを含んで構成される場合、制御部１４は、近接センサが枕１に近接する物体の存在を検出したとき、ユーザの頭部が枕１に載せられたと判定してもよい。例えば検出部１０が温度センサを含んで構成される場合、制御部１４は、温度センサが検出した温度が第１閾値を超えたとき、ユーザの頭部が枕１に載せられたと判定してもよい。第１閾値は、例えば、人体（頭部）が枕１に接触していることを検出可能な温度であってよい。例えば検出部１０が発汗センサを含んで構成される場合、制御部１４は、発汗センサがユーザの発汗を検出したとき、ユーザの頭部が枕１に載せられたと判定してもよい。例えば検出部１０が脈拍センサを含んで構成される場合、制御部１４は、脈拍センサがユーザの脈拍を検出したとき、ユーザの頭部が枕１に載せられたと判定してもよい。
【００３９】
制御部１４は、ユーザの頭部が枕１に載せられたと判定すると、検出部１０の検出結果を用いて、ユーザの頭部重量を測定する。さらに、制御部１４は、記憶部１３を参照して、測定したユーザの頭部重量に対応付けられたユーザの識別情報を取得する。
【００４０】
なお、例えば検出部１０が複数の圧力センサを含んで構成される場合、検出部１０の検出結果を用いて、ユーザの頭部形状を測定してもよい。この場合、制御部１４は、複数の圧力センサが検出した載置面Ａにおける圧力分布に基づいて、ユーザの頭部形状を測定する。さらに、記憶部１３がユーザの頭部形状に対応付けてユーザの識別情報を記憶している場合、制御部１４は、記憶部１３を参照して、測定したユーザの頭部形状に対応付けられたユーザの識別情報を取得してもよい。
【００４１】
＜生体情報の取得処理＞
制御部１４は、ユーザが頭部を枕１に載せたと判定すると、ユーザの生体情報の取得を開始する。生体情報は、例えば、ユーザの体温、ユーザの発汗量、ユーザの心拍数及びユーザの呼吸数を含んでよい。制御部１４は、検出部１０の出力結果に基づいて、生体情報を取得する。具体的には、制御部１４は、検出部１０が温度センサを含んで構成される場合、温度センサが検出したユーザの頭部温度に基づいて、ユーザの体温を取得（算出）する。また、制御部１４は、検出部１０が発汗センサを含んで構成される場合、当該発汗センサから、ユーザの発汗量を取得する。また、制御部１４は、検出部１０が脈拍センサを含んで構成される場合、脈拍センサが検出した脈拍に基づいて、ユーザの心拍数を取得（測定）する。また、制御部１４は、検出部１０がモーションセンサを含んで構成される場合、モーションセンサが検出した枕１の動きに基づいて、ユーザの呼吸数を取得（測定）する。例えば、ユーザが呼吸をすると、呼吸に合わせて体動が生じる。モーションセンサは、この体動を、枕１の動きとして検出する。制御部１４は、モーションセンサが枕１の動きとして検出した体動に基づいて、ユーザの呼吸数を測定する。
【００４２】
制御部１４は、取得したユーザの生体情報に基づいて、ストレス値を取得してもよい。ストレス値は、交感神経と副交感神経の活動状態のバランスを示す。例えばユーザの生体情報に心拍数が含まれる場合、制御部１４は、心拍数に基づいて、ストレス値を取得してもよい。この場合、制御部１４は、心拍の変動波から、低周波成分（例えば１０秒程度の周期）を、交感神経成分（ＬＦ）として抽出する。さらに、制御部１４は、心拍の変動波から、高周波成分（例えば３秒〜４秒の周期）を、副交感神経成分（ＨＦ）として抽出する。加えて、制御部１４は、交感神経成分（ＬＦ）を副交感神経成分（ＨＦ）で除算することで、ストレス値（ＬＦ／ＨＦ）を取得（算出）する。このストレス値（ＬＦ／ＨＦ）は、その数値が高いほど、ユーザにかかるストレスが高いことを示す。
【００４３】
＜睡眠に関する情報の取得処理＞
制御部１４は、ユーザが頭部を枕１に載せたと判定すると、ユーザの睡眠に関する情報の取得を開始してもよい。ユーザの睡眠に関する情報は、例えば、ユーザの入眠時刻、ユーザの起床時刻、ユーザが頭部を枕１に載せてから入眠するまでの時間（以下、「入眠潜時」という）、ユーザの寝返り回数及びユーザの睡眠時間を含んでよい。以下、これらの情報を取得する処理の一例を説明する。
【００４４】
（１）入眠時刻
制御部１４は、ユーザが入眠したと判定した時刻を、入眠時刻として取得（決定）する。例えば検出部１０がモーションセンサを含んで構成される場合、制御部１４は、所定時間以上、モーションセンサが枕１の動きを検出しないとき、ユーザが入眠したと判定してもよい。例えば検出部１０が温度センサを含んで構成される場合、制御部１４は、温度センサが検出した温度が第２閾値を下回るとき、ユーザが入眠したと判定してもよい。第２閾値は、例えば、上述の第１閾値よりも低い温度であってよい。一般的に、人間は入眠するときに体温が下がるため、このように温度によって入眠を判定することができる。
【００４５】
（２）起床時刻
制御部１４は、ユーザが起床したと判定した時刻を、ユーザの起床時刻として取得（決定）する。制御部１４は、例えば検出部１０の重量センサが枕１にかかる重量を検出しなくなったとき、ユーザが起床したと判定してもよい。例えば検出部１０が複数の圧力センサを含んで構成される場合、制御部１４は、各圧力センサが載置面Ａにかかる圧力を検出しなくなったとき、ユーザが起床したと判定してもよい。例えば検出部１０がモーションセンサを含んで構成される場合、制御部１４は、例えば人体（頭部）が枕１から離れ、モーションセンサが枕１の動きを検出しなくなったとき、ユーザが起床したと判定してもよい。例えば検出部１０が温度センサを含んで構成される場合、制御部１４は、温度センサが検出した温度が第３閾値を下回ると判定したとき、ユーザが起床したと判定してもよい。第３閾値は、例えば、第２閾値よりもさらに低い値であってよい。第３閾値は、例えば人体（頭部）が枕１から離れ、枕が外気に触れていることを検出可能な温度であってよい。例えば検出部１０が脈拍センサを含んで構成される場合、制御部１４は、脈拍センサがユーザの脈拍を検出しなくなったとき、ユーザが起床したと判定してもよい。
【００４６】
（３）入眠潜時
制御部１４は、上述の処理によってユーザが枕１に頭部を載せたと判定した時刻を、ユーザが枕１に頭部を載せた時刻として取得（決定）する。さらに、制御部１４は、上述の処理によってユーザの入眠時刻を取得する。加えて、制御部１４は、取得したユーザの入眠時刻から、取得したユーザが枕１に頭部を載せた時刻を減算することで、入眠潜時を取得（算出）する。
【００４７】
（４）寝返り回数
制御部１４は、上述の処理によってユーザが入眠したと判定した後、ユーザの寝返り回数の取得を開始する。例えば検出部１０が複数の圧力センサを含んで構成される場合、制御部１４は、各圧力センサがそれぞれ検出した載置面Ａにかかる圧力の変動に基づいて、ユーザの寝返り回数を取得（測定）してもよい。例えば検出部１０がモーションセンサを含んで構成される場合、制御部１４は、モーションセンサが検出した枕１の動きに基づいて、ユーザの寝返り回数を取得（測定）してもよい。
【００４８】
（５）睡眠時間
制御部１４は、上述の処理によってユーザの起床時刻及びユーザの入眠時刻を取得する。制御部１４は、取得したユーザの起床時刻から、取得したユーザの入眠時刻を減算することで、ユーザの睡眠時間を取得（算出）する。
【００４９】
ここで、制御部１４は、取得したユーザの識別情報とともに、取得した当該ユーザの生体情報、ストレス値及び睡眠に関する情報のうち少なくとも１つを、通信部１２によって外部のサーバに送信することができる。この構成については後述する。なお、制御部１４は、ユーザの識別情報の代わりに、測定したユーザの頭部重量（又は頭部形状）とともに、取得した当該ユーザの生体情報等を、通信部１２によって外部のサーバに送信してもよい。この場合、外部のサーバは、複数のユーザの頭部重量と、当該複数のユーザの頭部重量（又は頭部形状）のそれぞれに対応付けられたユーザの識別情報とを格納していてもよい。
【００５０】
図４及び図５は、第１実施形態に係る枕１が実行する処理の一例を示すフローチャートである。図４に示すフローは、例えば、所定時刻に開始されてよい。所定時刻は、枕１が使用される施設（例えば、病院）の消灯時刻に基づいて設定されてよい。
【００５１】
制御部１４は、ユーザの頭部が枕１に載せられたか否か判定する（ステップＳ１０）。制御部１４は、ユーザの頭部が枕１に載せられたと判定したとき（ステップＳ１０：Ｙｅｓ）、ステップＳ１１の処理に進む。一方、制御部１４は、ユーザの頭部が枕１に載せられたと判定しないとき（ステップＳ１０：Ｎｏ）、再びステップＳ１０の処理を行う。
【００５２】
ステップＳ１１の処理では、制御部１４は、検出部１０の出力結果（検出結果）に基づいて、ユーザの頭部重量を測定する。
【００５３】
ステップＳ１２の処理では、制御部１４は、記憶部１３を参照して、ステップＳ１１の処理で測定したユーザの頭部重量に対応付けられたユーザの識別情報を取得する。
【００５４】
ステップＳ１３の処理では、制御部１４は、ユーザの生体情報の取得を開始する。制御部１４は、検出部１０の出力結果（検出結果）に基づいて、ユーザの生体情報を取得する。
【００５５】
ステップＳ１４の処理では、制御部１４は、ユーザが入眠したか否か判定する。制御部１４は、ユーザが入眠したと判定したとき（ステップＳ１４：Ｙｅｓ）、ステップＳ１５の処理に進む。一方、制御部１４は、ユーザが入眠したと判定しないとき（ステップＳ１４：Ｎｏ）、再びステップＳ１４の処理を行う。
【００５６】
ステップＳ１５の処理では、制御部１４は、ユーザの入眠時刻及び入眠潜時を取得する。制御部１４は、ステップＳ１４の処理でユーザが入眠したと判定した時刻を、ユーザの入眠時刻として取得（決定）する。制御部１４は、取得した入眠時刻から、ステップＳ１０の処理でユーザが頭部を枕１に載せたと判定した時刻を減算することで、ユーザの入眠潜時を取得（算出）する。
【００５７】
ステップＳ１６の処理では、制御部１４は、ユーザの寝返り回数の取得を開始する。制御部１４は、検出部１０の出力結果（検出結果）に基づいて、ユーザの寝返り回数を取得（測定）する。
【００５８】
次に、制御部１４は、図５に示すフローに進む。
【００５９】
ステップＳ１７の処理では、制御部１４は、ユーザが起床したか否か判定する。制御部１４は、ユーザが起床したと判定したとき（ステップＳ１７：Ｙｅｓ）、生体情報及び寝返り回数の取得を停止し、ステップＳ１８の処理に進む。一方、制御部１４は、ユーザが起床したと判定しないとき（ステップＳ１７：Ｎｏ）、再びステップＳ１７の処理を行う。
【００６０】
ステップＳ１８の処理では、制御部１４は、ユーザの起床時刻及び睡眠時間を取得する。制御部１４は、ステップＳ１７の処理でユーザが起床したと判定した時刻を、ユーザの起床時刻として取得（決定）する。制御部１４は、取得したユーザの起床時刻から、図４に示すステップＳ１５の処理で取得したユーザの入眠時刻を減算することで、ユーザの睡眠時間を取得（算出）する。
【００６１】
ステップＳ１９の処理では、制御部１４は、取得したユーザの生体情報に基づいて、ストレス値を取得する。
【００６２】
ステップＳ２０の処理では、制御部１４は、ユーザの識別情報とともにユーザの生体情報等を、通信部１２によって所定のサーバに送信する。
【００６３】
なお、例えば検出部１０が複数の圧力センサを含んで構成される場合、制御部１４は、図４に示すステップＳ１１の処理においてユーザの頭部形状を測定してもよい。さらに、記憶部１３がユーザの頭部形状に対応付けてユーザの識別情報を記憶している場合、制御部１４は、ステップＳ１２の処理において、記憶部１３を参照して、測定したユーザの頭部形状に対応付けられているユーザの識別情報を取得してもよい。
【００６４】
このように、第１実施形態に係る枕１は、検出部１０の出力結果に基づいて、ユーザの頭部重量（又は頭部形状）を測定する。さらに、枕１は、測定したユーザの頭部重量等に基づいてユーザの識別情報を取得する。このような処理によって、例えば公共の施設において、枕１が複数のユーザに使用され得る場合であっても、枕１が取得したユーザの識別情報に基づいて、枕１を使用したユーザを推定することができる。これにより、ユーザ又は施設の管理者等が特別な操作をすることなく、例えば枕１が取得したユーザの生体情報が何れのユーザのものであるかを推定することができる。従って、本実施形態によれば、改善された枕１が提供され得る。
【００６５】
さらに、第１実施形態に係る枕１は、検出部１０の出力結果に基づき、ユーザの睡眠時間にわたって、頭部を枕１に載せているユーザの生体情報を取得することができる。
【００６６】
加えて、第１実施形態に係る枕１は、ユーザの生体情報に基づいてストレス値を取得することができる。ストレス値は、上述のように交感神経と副交感神経の活動状態のバランスを示すため、ユーザのストレス状態を把握する有益な材料となり得る。従って、本実施形態に係る枕１は、ユーザのストレス状態を把握する有益な材料を提供することができる。
【００６７】
また、上述の睡眠に関する情報は、ユーザの睡眠の質を判断する際の有益な判断材料となり得る。しかしながら、入眠時刻及び寝返り回数等といった睡眠に関する情報を、ユーザ自身が測定することは困難である。第１実施形態に係る枕１は、ユーザの睡眠に関する情報を取得することができる。従って、本実施形態に係る枕１は、ユーザの睡眠の質を判断する際の有益な判断材料を提供することができる。
【００６８】
（第２実施形態）
次に、第２実施形態について説明する。第２実施形態では、第１実施形態に係る枕１を備える通信システムについて説明する。図６は、第２実施形態に係る通信システム１００の概略図である。
【００６９】
通信システム１００は、枕１と、サーバ２とを備える。枕１と、サーバ２とは、ネットワーク２００を介して互いに通信可能に接続される。ネットワーク２００は、例えば、インターネットである。ただし、ネットワーク２００は、インターネットに限定されず、適宜のネットワークであってよい。また、ネットワーク２００は、無線、有線又はこれらの組み合わせであってよい。つまり、枕１と、サーバ２とは、有線若しくは無線又はこれらの任意の組合せにより構成されたネットワーク２００により接続され情報の送受信が行われてよい。また、本実施形態において、サーバ２及びネットワーク２００は１つに限定されるものではなく、それぞれ２つ以上であってよい。また、通信システム１００が備える枕の数は、枕１の１つに限定されるものではなく、２つ以上であってよい。
【００７０】
枕１は、第１実施形態にて説明した機能を有する。すなわち、枕１は、枕１に頭部を載せているユーザの識別情報を取得することができる。さらに、枕１は、枕１に頭部を載せているユーザの生体情報、睡眠に関する情報及びストレス値を取得することができる。
【００７１】
枕１は、取得したユーザの識別情報とともに取得したユーザの生体情報等を、ネットワーク２００を介してサーバ２に送信する。
【００７２】
サーバ２は、例えば、情報処理装置である。サーバ２は、例えば、医療機関、ユーザが加入している健康保険組合又はユーザが勤務している会社の健康管理室等によって管理される。サーバ２は、通信部４０と、記憶部４１と、制御部４３とを備える。
【００７３】
通信部４０は、ネットワーク２００を介して、外部の機器と通信する。通信部１２は、例えばBluetooth（登録商標）、赤外線、ＮＦＣ、無線ＬＡＮ、有線ＬＡＮ、ＷＡＮ、インターネット若しくはその他任意の通信媒体又はこれらの任意の組合せにより、通信することができる。
【００７４】
記憶部４１は、半導体メモリ又は磁気メモリ等で構成されてよい。記憶部４１は、各種情報及び制御部４２を動作させるためのプログラム等を記憶する。記憶部４１は、ワークメモリとしても機能してもよい。記憶部４１は、受信したユーザの識別情報に対応付けて受信したユーザの生体情報等を記憶する。
【００７５】
制御部４２は、種々の機能を実行するための制御及び処理能力を提供するために、少なくとも１つのプロセッサ４２Ａを含む。少なくとも１つのプロセッサ４２Ａは、単一の集積回路（ＩＣ）として、又は、複数の通信可能に接続された集積回路ＩＣ及びディスクリート回路として実現されてもよい。少なくとも１つのプロセッサ４２Ａは、種々の既知の技術に従って実現されることが可能である。
【００７６】
ある実施形態において、プロセッサ４２Ａは、一以上のデータ計算手続及び処理を実行するために構成された、一以上の回路又はユニットを含む。例えば、プロセッサ４２Ａは、一以上のプロセッサ、コントローラ、マイクロプロセッサ、マイクロコントローラ、特定用途向け集積回路（ＡＳＩＣ）、デジタル信号処理装置、プログラマブルロジックデバイス、フィールドプログラマブルゲートアレイ又はこれらの組み合わせ若しくは構成の任意の組み合わせ、又は、他の既知のデバイス若しくは構成の組み合わせを含むことにより、以下に説明する機能を実行してもよい。
【００７７】
制御部４２は、通信部４０と、記憶部４１とに接続され、これらの各機能部をはじめとして、サーバ２の全体を制御及び管理する。制御部４２は、記憶部４１に記憶されているプログラムを取得する。制御部４２は、取得したプログラムを実行することにより、サーバ２の各部に係る種々の機能を実現する。
【００７８】
制御部４２は、ネットワーク２００を介して枕１から、ユーザの識別情報とともにユーザの生体情報等を、通信部４０によって受信する。制御部４２は、受信したユーザの生体情報等を、当該ユーザの識別情報に対応付けて、記憶部４１に格納する。
【００７９】
図７は、第２実施形態に係る通信システム１００の制御手順の一例を示すシーケンス図である。
【００８０】
枕１は、枕１に頭部を載せたユーザの識別情報を取得するとともに、ユーザの生体情報等を取得する（ステップＳ３０）。枕１は、ネットワーク２００を介してサーバ２に、取得したユーザの識別情報とともに、取得した当該ユーザの生体情報等を、送信する（ステップＳ３１）。
【００８１】
サーバ２は、ネットワーク２００を介して枕１から、ユーザの識別情報とともにユーザの生体情報等を受信する（ステップＳ３２）。サーバ２は、受信したユーザの生体情報等を、当該ユーザの識別情報に対応付けて、記憶部４１に格納する（ステップＳ３３）。
【００８２】
このように、第２実施形態に係る通信システム１００では、枕１が、枕１を使用したユーザの識別情報を取得するとともに、当該ユーザの生体情報等を取得する。さらに、サーバ２が、枕１によって取得されたユーザの生体情報等を、当該ユーザの識別情報に対応付けて格納する。このような処理によって、通信システム１００は、以下のような、効果を奏することができる。
【００８３】
例えば、ユーザは、睡眠障害を抱えている場合、医療機関を受診することがある。しかしながら、ユーザが医療機関を受診しても、医者は、ユーザの睡眠に関する情報等を把握できないことがある。医者は、ユーザの睡眠に関する情報等を把握できないと、ユーザに対して適切に指導することができない場合がある。
【００８４】
これに対し、本実施形態では、医者は、サーバ２に格納された睡眠に関する情報等を閲覧することができる。そのため、本実施形態によれば、医者は、ユーザの睡眠障害を改善するために、ユーザに対して適切に指導することができる。さらに、本実施形態では、医者は、サーバ２に格納された情報を閲覧し続けることによって、ユーザのその後の状態を把握することができる。
【００８５】
例えば、ユーザに自覚症状がなくても、ユーザの健康状態等が悪化している場合がある。この場合、ユーザは、自覚症状がないため、医療機関を受診しないことがある。
【００８６】
これに対し、本実施形態では、健康組合の医者又はユーザが勤務する会社の健康管理医がサーバ２に格納された生体情報及びストレス値を閲覧することができる。これにより、本実施形態によれば、健康組合の医者等は、ユーザの健康状態及びストレス状態を把握することができる。そのため、本実施形態によれば、健康組合の医者等は、ユーザの健康状態等が悪化した場合に、ユーザに対して適切に指導することができる。
【００８７】
このように、第２実施形態によれば、改善された、通信システム１００が提供され得る。
【００８８】
本開示を完全かつ明瞭に開示するためにいくつかの実施形態に関し説明してきた。しかしながら、添付の請求項は、上記実施形態に限定されるべきものでなく、本明細書に示した基礎的事項の範囲内で当該技術分野の当業者が創作し得る全ての変形例及び代替可能な構成を具現化するように構成されるべきである。また、いくつかの実施形態に示した各要件は、自由に組み合わせが可能である。
【００８９】
例えば、上記第１実施形態及び第２実施形態では、枕１が、ユーザの生体情報、ストレス値及び睡眠に関する情報を取得する例を説明した。しかしながら、枕１が取得する情報は、これに限定されない。例えば、枕１は、枕１の周囲温度を検出してもよい。周囲温度は、ユーザが頭部を枕１に載せていないときに検出部１０の温度センサによって取得された室内の温度であってもよい。又は、周囲温度は、例えば、枕１が検出部１０の温度センサとは異なる温度センサを備える場合、当該温度センサによって取得された室内の温度であってよい。
【００９０】
例えば、上記第１実施形態では、制御ユニット２０は、枕１の内部に含まれるものとして説明した。しかしながら、制御ユニット２０は、枕１の外部にあってもよい。
【００９１】
例えば、上記第１実施形態及び第２実施形態では、本開示の寝具は、枕であるものとして説明した。しかしながら、本開示の寝具は、枕に限定されない。本開示の寝具は、ユーザの頭部を支持するものであればよく、例えば、クッション、ネックピロー又は座布団等であってもよい。
【符号の説明】
【００９２】
１  枕（寝具）
２  サーバ
１０  検出部
１２  通信部
１３  記憶部
１４  制御部
１４Ａ  プロセッサ
２０  制御ユニット
３０  エアバッグ
４０  通信部
４１  記憶部
４２  制御部
４２Ａ  プロセッサ
１００  通信システム
２００  ネットワーク
【図１】
2019051069.tif 000003
【図２】
2019051069.tif 000004
【図３】
2019051069.tif 000005
【図４】
2019051069.tif 000006
【図５】
2019051069.tif 000007
【図６】
2019051069.tif 000008
【図７】
2019051069.tif 000009